(57)【要約】【課題】濾過フィルタと透析装置とを接続する際に、高いシール性を安定して確保できるようにしながら、濾過フィルタの交換作業を容易に行うことができるようにする。【解決手段】接続具１は、チューブ１０に取り付けられるロック部材２０と、チューブ１０の先端側を収容するケース部材３０と、ブロック部材４０とを備えている。ケース部材３０の雄ねじ部３２がブロック部材４０の雌ねじ部４１に螺合した状態で、チューブ１０を収容し強固に保持している。このため、チューブ１０は接続具１により押圧されて不意に抜けることはない。一方、引き抜く際には、チューブ１０の内周面を径方向に湾曲変形させるので抜けやすくなる。【選択図】図２
2015190537.tif 000002
【特許請求の範囲】
【請求項１】
液体が流通する流通管部と、該流通管部と連通する配管とを接続する接続具において、
上記配管に接続され、該配管から延びて先端側が上記流通管部に接続される可撓性を持ったチューブと、
上記チューブの外周面に取り付けられる筒状をなし、外周面の中心線方向両側にそれぞれ先端側及び基端側テーパー面を有するロック部材と、
上記チューブの上記ロック部材よりも先端側を収容する筒状の収容部を有する第１部材と、
上記チューブの基端側から上記ロック部材の基端側テーパー面に当接するテーパー面を有する第２部材とを備え、
上記第１部材の収容部の内周面における上記チューブの先端面に対応する部位には、該チューブの先端面に当接するストッパ部が設けられ、
上記第１部材の収容部の内周面における上記ロック部材の先端側テーパー面に対応する部位には、該先端側テーパー面に当接するテーパー面が設けられ、
上記第１部材には、第１係合部が設けられ、
上記第２部材には、上記第１係合部に係合する第２係合部が設けられ、
上記第１係合部と上記第２係合部が係合した状態で、上記ロック部材の先端側テーパー面に上記第１部材のテーパー面が当接し、かつ、上記ロック部材の基端側テーパー面に上記第２部材のテーパー面が当接して上記ロック部材が上記第１部材及び第２部材によって中心線方向両側から押圧されていることを特徴とする接続具。
【請求項２】
請求項１に記載の接続具において、
上記ロック部材が上記第１部材及び第２部材によって中心線方向両側から押圧された状態で、上記第１部材のストッパ部が上記チューブの先端面に当接していることを特徴とする接続具。
【請求項３】
請求項１または２に記載の接続具において、
上記ロック部材は、中心線方向に延びるスリットを有していることを特徴とする接続具。
【請求項４】
請求項１から３のいずれか１つに記載の接続具において、
上記第１係合部は上記チューブの外周面を囲む筒状に形成された雄ねじ部であり、
上記第２係合部は雌ねじ部であり、
上記ロック部材は、上記雄ねじ部と上記雌ねじ部とを螺合させた状態で上記雄ねじ部の内側に嵌まるように配置されていることを特徴とする接続具。
【発明の詳細な説明】
【技術分野】
【０００１】
本発明は、例えば透析装置用の精密濾過フィルタを透析装置に接続する場合等に使用することが可能な接続具に関するものである。
【背景技術】
【０００２】
従来より、透析装置には、ダイアライザに供給される前の原水を濾過する濾過フィルタが設けられている場合がある。濾過フィルタには、濾過前の原水を流入させる流入管部と、濾過膜を通過した後の純水を流出させる第１流出管部と、濾過膜を通過していない原水を流出させる第２流出管部とが設けられている。これら流入管部、第１流出管部及び第２流出管部には、透析装置側の配管が接続されるのであるが、特許文献１、２に開示されているように濾過フィルタをホルダに装着し、この装着の際に透析装置側の配管の接続まで行えるようにしたものが知られている。
【０００３】
特許文献１のホルダでは、濾過フィルタの上部及び下部にそれぞれ上側連結部及び下側連結部が設けられている。ホルダの上側には、濾過フィルタの上側連結部をロックする上側ロックレバーが設けられ、下側には、濾過フィルタの下側連結部をロックする下側ロックレバーが設けられている。
【０００４】
特許文献２のホルダも、上側及び下側にそれぞれロックレバーが設けられている。
【先行技術文献】
【特許文献】
【０００５】
【特許文献１】特開平１１−７０１６４号公報
【特許文献２】特許第３９２３８４５号公報
【発明の概要】
【発明が解決しようとする課題】
【０００６】
ところで、特許文献１、２のホルダでは、濾過フィルタを着脱する際に上側及び下側ロックレバーを操作しなければならないので、濾過フィルタの着脱作業が煩雑で手間がかかる。
【０００７】
そこで、上側及び下側ロックレバーを省略することが考えられるが、この場合、濾過フィルタの管部と透析装置側の配管との接続部分のシール性を長期間に亘って安定して確保するのが問題となる。
【０００８】
また、濾過フィルタは定期的に交換するものであるため、濾過フィルタを透析装置から取り外す場合があるが、このときに濾過フィルタと透析装置側の配管との接続を容易に解除できるようにしたいという要求がある。また、同様に、濾過フィルタと透析装置側の配管との接続作業を容易にしたいという要求もある。
【０００９】
本発明は、かかる点に鑑みてなされたものであり、その目的とするところは、高いシール性を安定して確保できるようにしながら、接続及び接続解除作業を容易に行うことができるようにすることにある。
【課題を解決するための手段】
【００１０】
上記目的を達成するために、本発明では、可撓性を持ったチューブを使用して配管と流通管部とを接続する場合に、先端側及び基端側テーパー面を有するロック部材をチューブに取り付け、ロック部材の先端側テーパー面に第１部材のテーパー面を当接させ、かつ、ロック部材の基端側テーパー面に第２部材のテーパー面を当接させてロック部材を中心線方向両側から押圧して取り付けるようにし、さらに、チューブの先端面を第１部材のストッパ部に当接させるようにした。
【００１１】
第１の発明は、
液体が流通する流通管部と、該流通管部と連通する配管とを接続する接続具において、
上記配管に接続され、該配管から延びて先端側が上記流通管部に接続される可撓性を持ったチューブと、
上記チューブの外周面に取り付けられる筒状をなし、外周面の中心線方向両側にそれぞれ先端側及び基端側テーパー面を有するロック部材と、
上記チューブの上記ロック部材よりも先端側を収容する筒状の収容部を有する第１部材と、
上記チューブの基端側から上記ロック部材の基端側テーパー面に当接するテーパー面を有する第２部材とを備え、
上記第１部材の収容部の内周面における上記チューブの先端面に対応する部位には、該チューブの先端面に当接するストッパ部が設けられ、
上記第１部材の収容部の内周面における上記ロック部材の先端側テーパー面に対応する部位には、該先端側テーパー面に当接するテーパー面が設けられ、
上記第１部材には、第１係合部が設けられ、
上記第２部材には、上記第１係合部に係合する第２係合部が設けられ、
上記第１係合部と上記第２係合部が係合した状態で、上記ロック部材の先端側テーパー面に上記第１部材のテーパー面が当接し、かつ、上記ロック部材の基端側テーパー面に上記第２部材のテーパー面が当接して上記ロック部材が上記第１部材及び第２部材によって中心線方向両側から押圧されていることを特徴とする。
【００１２】
この構成によれば、ロック部材がチューブに取り付けられた状態で第１部材及び第２部材によって中心線方向両側から押圧される。このとき、ロック部材の先端側テーパー面に第１部材のテーパー面が当接し、ロック部材の基端側テーパー面に第２部材のテーパー面が当接しているのでロック部材に対して縮径方向に力が作用し、これにより、ロック部材がチューブに食い込むように変形して強固に取り付けられる。
【００１３】
そして、流通管部をチューブの先端側に挿入して接続する場合には、チューブの先端側に対して挿入方向（中心線方向）の押圧力が作用することになる。このとき、チューブの先端側が第１部材の収容部に収容された状態で保持されているので、チューブの先端側の変形が抑制される。このことに加えて、ロック部材によってチューブの先端位置が保持されているので、流通管部にチューブの先端側を接続する作業が容易に行える。
【００１４】
また、チューブに挿入されている流通管部に液体が流通する際にはチューブに内圧が加わることになるが、チューブの先端側が上述のように収容部に収容されていることでチューブが膨れるのを収容部によって抑制することが可能になる。これにより、流通管部がチューブから外れることはなく、高いシール性が長期間に亘って安定して確保される。
【００１５】
また、流通管部をチューブの先端側から引き抜く方向に力を加えた場合、チューブの内周面と流通管部の外周面との間の摩擦力によってチューブが引っ張られてチューブの内周面と流通管部の外周面との間の空気が抜け、これら面同士が密着する。これにより、流通管部が不意に抜けてしまうのが抑制されて高いシール性が安定して確保される。
【００１６】
また、接続を解除する場合、流通管部が保持・固定されている状態で接続具を抜くとき、例えばチューブを挿入された接続具を中心線周りに回しながら（捻りながら）抜き方向に力を加えていく。このとき、チューブの内周面と流通管部との間に働く摩擦抵抗によりチューブが伸びて先端が元の位置に留まろうとするが、そのチューブの先端面には第１部材のストッパ部が当接しているので、チューブの先端が留まることはできず、チューブの先端にはストッパ部によって接続具の抜き方向に力が作用する。このストッパ部からの力により、チューブは径方向外方に膨らむように変形する。これにより、空気がチューブの内周面と流通管部の外周面との間にまわり込み易くなり、これら面の間の摩擦抵抗が低下して抜けやすくなる。よって、接続具を小さい力で抜くことが可能になるので作業性が向上する。
【００１７】
第２の発明は、第１の発明において、
上記ロック部材が上記第１部材及び第２部材によって中心線方向両側から押圧された状態で、上記第１部材のストッパ部が上記チューブの先端面に当接していることを特徴とする。
【００１８】
この構成によれば、チューブがロック部材によって第１部材及び第２部材に固定された状態で、チューブの先端面に第１部材のストッパ部が当接するので、接続具を抜くとき、チューブに対して先端側からの力を確実に作用させてチューブを径方向外方に膨らむように変形させることが可能になる。
【００１９】
第３の発明は、第１または２の発明において、
上記ロック部材は、中心線方向に延びるスリットを有していることを特徴とする。
【００２０】
この構成によれば、第１部材及び第２部材のテーパー面によって中心線方向両側から押圧されたロック部材が縮径方向に変形する際、その変形量を十分に確保してロック部材がチューブに確実に食い込むようになる。
【００２１】
第４の発明は、第１から３のいずれか１つの発明において、
上記第１係合部は上記チューブの外周面を囲む筒状に形成された雄ねじ部であり、
上記第２係合部は雌ねじ部であり、
上記ロック部材は、上記雄ねじ部と上記雌ねじ部とを螺合させた状態で上記雄ねじ部の内側に嵌まるように配置されていることを特徴とする。
【００２２】
この構成によれば、第１部材の雄ねじ部と第２部材の雌ねじ部とを螺合させると、ロック部材が雄ねじ部の内側に嵌まることでロック部材が雄ねじ部をその内側から支持して雄ねじ部を雌ねじ部に確実に押し付けて螺合させることが可能になる。
【発明の効果】
【００２３】
第１の発明によれば、チューブの外周面にロック部材を取り付け、チューブの先端側を第１部材の収容部に収容し、収容部の内周面にチューブの先端面に当接するストッパ部を設け、第１部材の第１係合部と第２部材の第２係合部とを係合させた状態で、ロック部材の先端側テーパー面に第１部材のテーパー面が当接し、かつ、ロック部材の基端側テーパー面に第２部材のテーパー面が当接してロック部材が第１部材及び第２部材によって中心線方向両側から押圧されるようにしている。これにより、流通管部にチューブを挿入し易くなり、且つ配管と流通管部との接続状態では高いシール性を安定して確保でき、接続解除作業時には作業性を向上させることができる。
【００２４】
第２の発明によれば、ロック部材が第１部材及び第２部材によって中心線方向両側から押圧された状態で第１部材のストッパ部がチューブの先端面に当接しているので、接続解除作業時にチューブを径方向外方に膨らむように確実に変形させて作業性を向上させることができる。
【００２５】
第３の発明によれば、ロック部材が中心線方向に延びるスリットを有しているので、ロック部材をチューブに確実に食い込ませることができ、チューブを第１部材及び第２部材に対してより一層確実に固定できる。
【００２６】
第４の発明によれば、雄ねじ部と雌ねじ部とを螺合させた状態でロック部材が雄ねじ部の内側に嵌まるようになっているので、雄ねじ部をロック部材により内側から支持して雌ねじ部に確実に螺合させることができる。
【図面の簡単な説明】
【００２７】
【図１】実施形態に係る接続具の断面図である。
【図２】接続具を使用して濾過フィルタの純水流通管部と透析装置の配管とを接続した状態の図１相当図である。
【図３】接続具を分解した状態の断面図である。
【図４】（ａ）はロック部材の正面図であり、（ｂ）は（ａ）のIVb−IVb線断面図である。
【図５】（ａ）はケース部材の正面図であり、（ｂ）は（ａ）のVb−Vb線断面図である。
【図６】（ａ）はブロック部材の背面図であり、（ｂ）は（ａ）のVIb−VIb線断面図である。
【発明を実施するための形態】
【００２８】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２９】
図１は、本発明の実施形態に係る接続具１の断面構造を示すものである。図２に示すように、接続具１は、例えば、原水を濾過するための濾過フィルタ（図示せず）の純水流通管部１００と、濾過フィルタで濾過された純水が供給される透析装置（図示せず）の配管２００とを接続するためのものである。尚、本発明に係る接続具１は、上記の用途以外にも、各種液体が流通する流通管部と、該流通管部と連通する配管とを接続する場合にも使用することができる。
【００３０】
図示しないが、濾過フィルタは、外部から供給される原水を精密濾過することができるように構成された周知のものであり、詳細な構造の説明は省略するが、筒状のハウジングと、該ハウジング内に収容された中空糸膜（濾過膜）とを備えている。ハウジングの長手方向一端部には、ハウジング内の中空糸膜外側領域に原水を流入させる流入管部が設けられている。また、ハウジングの長手方向他端部には、中空糸膜を外側から内側に通過することによって濾過された純水を流出させる第１流出管部と、中空糸膜を通過していない原水を流出させる第２流出管部とが設けられている。この実施形態では、純水流通管部１００が第１流出管部である場合について説明するが、他の管部であっても本発明を適用することができる。純水流通管部１００は先端に向かって縮径するように形成されている。また、濾過フィルタは、長手方向が上下方向となる姿勢で使用される。濾過フィルタは定期的に交換される。
【００３１】
また、透析装置は、一般の透析コンソールの他、個人用透析コンソールも含まれる。この透析装置に上記濾過フィルタが着脱可能に取り付けられている。
【００３２】
接続具１は、図２にも示すように、透析装置の配管２００に接続され、配管２００から延びて先端側が純水流通管部１００に接続されるチューブ１０と、チューブ１０の外周面に取り付けられるロック部材２０と、チューブ１０のロック部材２０よりも先端側を収容するケース部材（第１部材）３０と、ブロック部材（第２部材）４０とを備えている。
【００３３】
チューブ１０は、例えば医療分野で一般に用いられる柔軟性を有する樹脂材等で構成することができ、可撓性を持っている。
【００３４】
ロック部材２０は、図４に示すようにスリット２０ａを有する筒状をなしており、チューブ１０の材料よりも硬質な樹脂材料で構成されている。スリット２０ａは、ロック部材２０の中心線方向（チューブ１０の中心線方向と同方向）両端に亘って延びている。スリット２０ａの形成によってロック部材２０の縮径量が十分に確保される。
【００３５】
ロック部材２０の内径は、チューブ１０の外径よりも若干小さめに設定されている。これにより、ロック部材２０をチューブ１０の外周面に取り付けた状態で、ロック部材２０の内周面がチューブ１０の外周面に強く密着しやすくなり、ロック部材２０がチューブ１０の中心線方向に移動しにくくなる。
【００３６】
ロック部材２０の外周面の中心線方向両側には、チューブ１０への取り付け状態でロック部材２０におけるチューブ１０先端側に位置する先端側テーパー面２１と、チューブ１０基端側に位置する基端側テーパー面２２とがそれぞれ形成されている。先端側テーパー面２１は、ロック部材２０がチューブ１０先端側へ行くほど小径となるように形成されている。基端側テーパー面２２は、ロック部材２０がチューブ１０基端側へ行くほど小径となるように形成されている。基端側テーパー面２２の方が先端側テーパー面２１よりも長くなっている。先端側テーパー面２１と基端側テーパー面２２の形成により、ロック部材２０の外周面は中心線方向中央部近傍が最も径方向外方に位置する形状になる。
【００３７】
また、ロック部材２０の中心線に対する先端側テーパー面２１の傾斜角度は、ロック部材２０の中心線に対する基端側テーパー面２２の傾斜角度よりもきつく設定されている。これにより、後述する組み立て後においてロック部材２０の先端側が基端側に比べて強くチューブ１０に押し付けられてロック部材２０が強固に取り付けられることになる。また、ロック部材２０の基端側テーパー面２２の傾斜角度が小さいことで、ブロック部材４０に密着した状態でねじ部分のゆるみ止め効果が高まる。
【００３８】
ケース部材３０は、チューブ１０のロック部材２０よりも先端側を収容する筒状の収容部３１と、筒状の雄ねじ部（第１係合部）３２とを備えている。収容部３１と雄ねじ部３２とは、ロック部材１０と同様な樹脂材を用いて一体成形されている。
【００３９】
収容部３１の外周面には、複数の平坦面３１ａが周方向に略等間隔に形成されている。この平坦面３１ａに工具等を当接させることでケース部材３０を工具等で保持することができるようになっている。
【００４０】
収容部３１の内周面は、チューブ１０におけるロック部材２０よりも先端側の外周面に沿って延びるように形成されており、チューブ１０の先端側が収容された状態でチューブ１０の外周面と収容部３１の内周面との間に小さな隙間が形成される。これにより、収容部３１内でチューブ１０が径方向外方にわずかに膨らむことが可能になっている。このときのチューブ１０の膨らみ量は、チューブ１０と純水流通管部１００との間に空気が入ることができる程度に設定されており、必要以上に大きく膨らまないようになっている。すなわち、純水流通管部１００に純水が流通する際にはチューブ１０に内圧が加わることになるが、チューブ１０の先端側が上述のように収容部３１に収容されていることでチューブ１０が膨れるのを収容部３１によって抑制することが可能になる。これにより、純水流通管部１００がチューブ１０から外れることはなく、高いシール性が長期間に亘って安定して確保される。
【００４１】
収容部３１の内周面におけるチューブ１０の先端面１０ａ（図３にのみ示す）に対応する部位には、チューブ１０の先端面１０ａに対してチューブ１０の中心線方向から当接するストッパ部３３が設けられている。ストッパ部３３は、収容部３１におけるチューブ１０先端側の端部に位置しており、収容部３１の内周面から径方向内方に突出して周方向に延びる環状の突条部で構成されている。
【００４２】
ストッパ部３３には、純水流通管部１００が挿入される側の面に純水流通管部１００を中心部に向けて案内するための案内面３３ａが形成されている。
【００４３】
雄ねじ部３２は、収容部３１の中心線方向についてストッパ部３３とは反対側へ突出している。雄ねじ部３２の外径は、収容部３１の外径よりも小さく設定されている。一方、雄ねじ部３２の内径は、収容部３１の内径と略同じに設定されている。このため、雄ねじ部３２の肉厚は、収容部３１の肉厚よりも薄くなっている。雄ねじ部３２における雌ねじ部４１（後述する）が螺合する螺合方向先端側の内周面には、テーパー面３２ａが形成されている。このテーパー面３２ａは、螺合方向の先端部に近づくほど拡径するように形成されており、ロック部材２０の先端側テーパー面２１と略一致するように傾斜角度が設定されている。
【００４４】
また、図３に示すように、チューブ１０の先端面１０ａと、ロック部材２０の先端側テーパー面２１との離間寸法Ａは、ケース部材３０のストッパ部３３とテーパー面３２ａとの離間寸法Ｂと略同じか、寸法Ａの方が若干長くなるように設定されている。
【００４５】
ブロック部材４０は、雄ねじ部３２に螺合することによって係合する筒状の雌ねじ部（第２係合部）４１と、チューブ１０を収容する筒状部４２とを備えている。雌ねじ部４１は、ブロック部材４０をチューブ１０に取り付けた状態で筒状部４２よりもチューブ１０先端側に位置するように形成されている。雌ねじ部４１の内径は、ロック部材１０の外径よりも大きく設定されている。
【００４６】
筒状部４２は、雌ねじ部４１と一体成形されている。雌ねじ部４１の外周面と筒状部４２の外周面とは同一面上に位置している。ブロック部材４０の外形は多角形とされているので、ブロック部材４０を工具等で保持しやすい。
【００４７】
次に、上記のように構成された接続具１の組み立て要領について説明する。まず、図３に示すように、ブロック部材４０にチューブ１０を挿通した後、チューブ１０にロック部材２０を取り付ける。このとき、上述したように寸法Ａが寸法Ｂと同じか、寸法Ａの方が若干長くなるようにしておく。尚、ロック部材２０は、チューブ１０に対する位置調整を行うことができるように、接着剤等を用いずに取り付けるのが好ましいが、これに限られるものではなく、接着固定するようにしてもよい。また、チューブ１０の基端側をブロック部材４０に挿通させることも可能であり、この場合、チューブ１０にロック部材２０を先に取り付けることもできる。
【００４８】
次いで、ケース部材３０の雄ねじ部３２をブロック部材４０の雌ねじ部４１に挿入して螺合していく。そうするとブロック部材４０がチューブ１０の先端側へ移動していき、ブロック部材４０のテーパー面４２ｂがロック部材２０の基端側テーパー面２２に当接してロック部材２０をチューブ１０の先端側へ押圧する。ロック部材２０はチューブ１０に取り付けられているので、ブロック部材４０の押圧力はチューブ１０のロック部材２０よりも先端側の部分に作用する。このとき、チューブ１０の先端面１０ａがストッパ部３３に当接する。
【００４９】
そして、雄ねじ部３２を雌ねじ部４１にさらに螺合させていくと、ロック部材２０の先端側テーパー面２１がケース部材３０のテーパー面３２ａに当接してロック部材２０のテーパー面２１、２２並びにテーパー面３２ａ、４２ｂが当接しあい、これにより、螺合が停止する。このとき、ロック部材２０の先端側テーパー面２１が雄ねじ部３２を径方向内方から支持して径方向外方へ押圧することになるので、雄ねじ部３２が拡径方向に弾性変形して雌ねじ部４１に強く接触することになり、雄ねじ部３２と雌ねじ部４１とを確実に螺合させることができるとともに、緩みを抑制できる。また、ケース部材３０とブロック部材４０とを係合させる手段として、雄ねじ部３２及び雌ねじ部４１を使用しているので、ケース部材３０とブロック部材４０とを簡単に係合させることができる。
【００５０】
また、雄ねじ部３２及び雌ねじ部４１が螺合した状態では、ロック部材２０の先端側テーパー面２１にケース部材３０のテーパー面３２ａが当接し、かつ、ロック部材２０の基端側テーパー面２２にブロック部材４０のテーパー面４２ｂが当接してロック部材２０がケース部材３０及びブロック部材４０によって中心線方向両側から押圧される。このとき、テーパー面２１、２２、３２ａ、４２ｂを押圧して発生した分力により、ロック部材２０に対して縮径方向に力が作用し、これにより、ロック部材２０がチューブ１０に食い込むように変形して強固に取り付けられる。ロック部材２０の縮径量はスリット２０ａの形成によって多く確保されているので、ロック部材２０のチューブ１０への食い込み量を多くすることが可能になる。
【００５１】
次に、接続具１を使用して濾過フィルタの純水流通管部１００と透析装置の配管２００とを接続する場合について説明する。チューブ１０の基端側は、周知の方法によって透析装置の配管２００に接続しておく。そして、濾過フィルタの純水流通管部１００と接続具１のチューブ１０の先端側とを接続する。このとき、チューブ１０の先端側がケース部材３０の収容部３１に収容された状態で保持されているので、チューブ１０の先端側の変形が抑制される。このことに加えて、ロック部材２０によってチューブ１０の先端位置が保持されているので、純水流通管部１００にチューブ１０の先端側を接続する作業が容易に行える。
【００５２】
次に、チューブ１０に挿入されている純水流通管部１００に純水が流通する場合について説明する。このときにはチューブ１０に内圧が加わることになるが、上述のように高いシール性が長期間に亘って安定して確保される。
【００５３】
チューブ１０を引き抜く力が加わった場合、チューブ１０の内周面と純水流通管部１００の外周面との間の摩擦力によってチューブ１０が引っ張られてチューブ１０の内周面と純水流通管部１００の外周面との間の空気が抜け、これら面同士が密着する。これにより、高いシール性が安定して確保される。
【００５４】
また、濾過フィルタの交換時にチューブ１０を純水流通管部１００から抜く際には、例えば図２に矢印Ｙで示すようにチューブ１０が挿入された接続具１を中心線周りに回しながら（捻りながら）抜き方向に力を加えていく。このとき、チューブ１０の内周面と純水流通管部１００との間に働く摩擦抵抗によりチューブ１０が伸びて先端が元の位置に留まろうとするが、そのチューブ１０の先端面にはストッパ部３３が当接しているのでチューブ１０の先端が留まることはできず、チューブ１０の先端にはストッパ部３３によって接続具１の抜き方向に力が作用する。このストッパ部３３からの力により、チューブ１０は径方向外方に膨らむように変形する。これにより、空気がチューブ１０の内周面と純水流通管部１００の外周面との間にまわり込み易くなり、これら面の間の摩擦抵抗が低下して抜けやすくなる。よって、チューブ１０を小さい力で抜くことが可能になるので作業性が向上する。
【００５５】
以上説明したように、この実施形態に係る接続具１によれば、濾過フィルタと透析装置とを接続した状態では高いシール性を安定して確保でき、濾過フィルタの交換作業時には透析装置の配管２００と濾過フィルタの純水流通管部１００との接続作業及び接続を解除する作業を容易に行うことができる。
【００５６】
尚、上記実施形態では、ケース部材３０に雄ねじ部３２を設け、ブロック部材４０に雌ねじ部４１を設けているが、これに限らず、例えば図示しないがケース部材に雌ねじ部を設け、ブロック部材に雄ねじ部３２を設けてもよい。
【００５７】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００５８】
以上説明したように、本発明に係る接続具は、例えば透析装置に精密濾過フィルタを接続する場合に使用することができる。
【符号の説明】
【００５９】
１            接続具
１０          チューブ
２０          ロック部材
３０          ケース部材（第１部材）
３１          収容部
３２          雄ねじ部（第１係合部）
３３          ストッパ部
４０          ブロック部材（第２部材）
４２ｂ        テーパー面
１００        純水流通管部
２００        透析装置の配管
【図１】
2015190537.tif 000003
【図２】
2015190537.tif 000004
【図３】
2015190537.tif 000005
【図４】
2015190537.tif 000006
【図５】
2015190537.tif 000007
【図６】
2015190537.tif 000008